(57)【要約】【課題】構造、操作共簡単で、ピアス穴明けの有無を確実に選択できるピアス穴明け選択装置の提供。【解決手段】プレス機の上型５１に属する複数のパンチ５３と下型に載ったダイ５５に属する同数の抜き穴ブッシュ５６とにより素材Ｂに所定のピアス穴を形成するピアス穴明け装置において、パンチ５３を、その上方で上型５１下方に設けた、パンチの逃げ空間５５をもつフローテイングボックス５７で支持するとともに、ボックス内に、素材独自のピアス穴用のパンチの逃げ空間を、回動して選択的に閉塞するプラグ板機構５９を内蔵したピアス穴明け選択装置で、構造、操作共簡単で、ピアス穴明けの有無を確実に選択できる。【選択図】          図２
2004209496.tif 000002
【特許請求の範囲】
【請求項１】
プレス機の上型に属する複数のパンチと下型に属する同数の抜き穴ブッシュとにより素材に所定のピアス穴を形成するピアス穴明け装置において、前記パンチを、その上方で前記上型下方に設けた、パンチの逃げ空間をもつフローテイングボックスにて支持するとともに、該ボックス内に、当該素材独自のピアス穴用のパンチの逃げ空間を、回動して選択的に閉塞するプラグ板機構を内蔵したことを特徴とするピアス穴明け選択装置。
【請求項２】
前記プラグ板機構がモータ及びギヤ機構により回動することを特徴とする請求項１記載のピアス穴明け選択装置。
【請求項３】
前記プラグ板機構が、ほぼ同方向に等距離にある２以上のピアス穴のためのパンチの逃げ空間を、回動して選択的に閉塞するよう構成したことを特徴とする請求項１または請求項２記載のピアス穴明け選択装置。
【請求項４】
前記プラグ板機構が、ほぼ対称的に等距離にある２以上のピアス穴のためのパンチの逃げ空間を、回動して選択的に閉塞するよう構成したことを特徴とする請求項１または請求項２記載のピアス穴明け選択装置。
【発明の詳細な説明】
【０００１】
【発明の属する技術分野】
本発明は、トラック等のシャシフレーム（以下フレームという）を構成するサイドレール、クロスメンバなどの大型、肉厚素材に、各種部材を取り付けるために明けるピアス穴の穴明け選択装置に関するものである。
【０００２】
【従来の技術】
前記サイドレール、クロスメンバには両者の締結用を始めとして各種の装置、部品を取り付けるために、リベット用、ボルト用等の多数の穴が必要である。そしてコストを低下させ、生産性を上げるために、車型の共通化も極力進められており、このため前記穴についても共通するものも多いのであるが、その車型独自のものも当然ある。
【０００３】
上記リベット用、ボルト用等の多数の穴は、プレス機における上型に属する複数のパンチと、下型に属する同数の抜き穴ブッシュとをもつピアス機構により加工されるのが通常である。即ち、これは例えば特開平５−９２２２１号公報に示されているが、前記穴の車型毎の打ち分けを簡単、容易に行う手段として、同公報の図４に示すものは、打ち抜かないパンチが上方へ逃げられるように、深い凹所（３２）を形成したもので、これによって全車型に共通するようパンチすることによる無駄な穴の存在と、それによるコストの上昇はある程度避けられる。
【０００４】
しかし、上記特開平公報の図４に示す例では、ピアス穴の配置パターンが異なる車種毎に、大型で重量の大きな上型アダプタ（２０）を多数用意する必要があり、製造コストの大幅な増大を招くばかりでなく、日常的な些細な設計変更に対してパンチガイド穴（３４）を一旦埋めて明け直す必要がある等の融通性に乏しい欠点がある。
【０００５】
これを改良したものとして、前記特開平公報の図１及び図２に当該発明として説明されているものがある。即ち、これは本明細書の図４に示すごときもので、多数の孔抜きパンチ１４と協働して板状素材Ｂに孔を打抜く多数の抜き孔１６を具えたダイ１２と、上記ダイ１２に対向して配置され上記多数のパンチ１４を夫々パンチガイド２４を介して着脱自在に取付ると共に、各パンチ１４の上記ダイ１２から遠ざかる方向への空動き変位を許容するよう夫々パンチ１４に対し同軸的に配置された逃げ孔３６を有する上型アダプタ２０に着脱自在に装着され、所望の孔明けパターンに応じ打抜かるべき孔のパンチに対応する上記逃げ孔内に挿入されて同パンチのダイから遠ざかる方向への空動き変位を禁止するプラグ４０を具えたフローティングプレート２２とを具備してなるものである。なお、図４において、１０は下型アダプタ、２６は弾性部材、２８はガイドプレート、Ｂは素材である。
【０００６】
本明細書の図４に示す孔抜き型によれば、孔配置パターンが異なるシリーズ車種のサイドレールやクロスメンバからいわゆる捨て孔を除くことができるので、捨て孔に基づくフレームの強度低下や部品の誤組立を有効に防止でき、又捨て孔の存在することについてのユーザの不安感または不信感を除くことができる。更に孔配置パターンの異なるサイドレール等の孔打ち抜きに際して、上型アダプタ２０と較べて十分小型で軽量なフローティングプレートを交換すればよいので、作業が容易となる。
【０００７】
又、パンチ１４がパンチガイド２４によって上型アダプタ２０に装着されるので、逃げ孔３６の直径をパンチ頭部１４ａの外形より十分大きく形成しておくことによって、日常頻繁に行われる孔位置のわずかな変更に際して、単にパンチ１４の位置をずらすことによって容易に対応し得る等の利点があるとしている。
【０００８】
しかし図４に示すものでは、共通する孔が多く、即ちその車型特有の孔が少ないものを連続してまたは接近して孔明けする場合にも、一々プレス機を停止し、ねじ４２を緩め、上型アダプタ２０からフローティングプレート２２を外してプラグ４０を差し変えねばならず、孔明けのためのプレス機の稼働率を低下させると言う問題がある。
【０００９】
【発明が解決しようとする課題】
よって、本発明の解決しようとする課題は、構造、操作共簡単で、ピアス穴明けの有無を確実に選択できるピアス穴明け選択装置を提供することにある。
【００１０】
【課題を解決するための手段】
上記課題を解決するための本発明ピアス穴明け選択装置は、プレス機の上型に属する複数のパンチと下型に属する同数の抜き穴ブッシュとにより素材に所定のピアス穴を形成するピアス穴明け装置において、前記パンチを、その上方で前記上型下方に設けた、パンチの逃げ空間をもつフローテイングボックスにて支持するとともに、該ボックス内に、当該素材独自のピアス穴用のパンチの逃げ空間を、回動して選択的に閉塞するプラグ板機構を内蔵したことを特徴とする。
【００１１】
【発明の実施の形態】
本発明の好ましい実施の形態を、図１乃至図３により説明すると、本発明ピアス穴明け選択装置は、プレス機の上型５１に属する複数のパンチ５３と下型（図示せず）に載ったダイ７３に属する同数の抜き穴ブッシュ５６とにより素材Ｂに所定のピアス穴を形成するピアス穴明け装置において、前記パンチ５３を、その上方で前記上型５１下方に設けた、パンチの逃げ空間５５をもつフローテイングボックス５７にて支持するとともに、該ボックス内に、当該素材独自のピアス穴用のパンチの逃げ空間を、回動して選択的に閉塞するプラグ板機構５９を内蔵したものである。
【００１２】
図１乃至図３に示す実施例について更に詳細に説明する。図１は本発明ピアス穴明け選択装置の縦断面図、図２は図１のＡ−Ａ線矢視相当図、図３はプラグ板機構の他の例を示す平面図であり、いずれも略示的に示している。
図に示す上型５１にはその下部に上型アダプタ５２が取り付けられ、その内部にフローテイングボックス５７が設けられており、該ボックス５７にはパンチ５３の頭部５３ａの逃げ空間５５が形成されている。
【００１３】
上記フローテイングボックス５７の下面には、該ボックスの下板５７ａとともに所定の逃げ穴６１を明けた上ガイド板６３が取り付けられており、上ガイド板６３の下面には、前記逃げ穴６１から出入りできるようにパンチ５３がパンチガイド６９により装着されている。また上ガイド板６３の端部において弾性部材６５を介して下ガイド板６７が取り付けられ、該ガイド板６７にはパンチ５３の先端を案内するガイド穴７１が形成されている。
【００１４】
７３は下型（図示せず）に載ったダイで、該ダイ７３には、前記パンチ５３、パンチガイド６９に対向して抜き穴ブッシュ５６が設けられ、その上面には素材Ｂが所定位置にセットされる。
【００１５】
前記プラグ板機構５９は次のように設置されている。即ち、前記フローティングボックス５７内においては、図２のように共通する多数のピアス穴７５の中にある、例えば▲１▼独自の１つのピアス穴７７、▲２▼１点からほぼ同方向に等距離にある２つのピアス穴７８ａ、７８ｂ及び▲３▼１点を中心にほぼ対称的に等距離にある２つのピアス穴７９ａ、７９ｂを考え、これらを夫々明けるパンチ５３−１、５３−２、…おける前記逃げ穴６１−１、６１−２、…を含む逃げ空間５５を必要時塞ぐプラグ板６０−１〜６０−３を用意する。
【００１６】
前記プラグ板はアルミ板とすれば軽量化でき、またこれは図３のように円板状のもの６０−４でもよく、必要箇所を除いて切欠き６０−４ａを形成すればより軽量となる。そして、これらのプラグ板６０−１〜６０−４をフローティングボックス５７の下面に取り付けたモータ８１および該モータと連結したギヤ機構８３により回動するよう構成する。なお、８２はモータ８１を定位置で停止するためのストッパである。
【００１７】
このように構成した本発明ピアス穴明け選択装置においては、ピアス前の準備として、車型に応じて例えばピアス穴７７、７８ａ、７８ｂのみ明けるように、別途準備した制御装置によりモータ８１−１、…を稼働し、プラグ板機構５９のプラグ板６０−１、６０−２を回動して、パンチ５３−１、５３−２の前記逃げ空間を塞ぐ。
【００１８】
この状態でプレス機の上型５１を下降させれば、プラグ板６０−１、６０−２により逃げ空間を塞がれたパンチ５３−１、５３−２は、素材Ｂにその車型独自のピアス穴をあける。このときパンチ５３−３、５３−４の頭部５３ａはフローティングボックス５７の逃げ空間５５に逃げてピアス穴を明けない。
【００１９】
【発明の効果】
本発明ピアス穴明け選択装置は、プレス機の上型に属する複数のパンチと下型に属する同数の抜き穴ブッシュとにより素材に所定のピアス穴を形成するピアス穴明け装置において、前記パンチを、その上方で前記上型下方に設けた、パンチの逃げ空間をもつフローテイングボックスにて支持するとともに、該ボックス内に、当該素材独自のピアス穴用のパンチの逃げ空間を、回動して選択的に閉塞するプラグ板機構を内蔵したことを特徴とするので、構造、操作共簡単で、ピアス穴明けの有無を確実に選択できる、ピアス穴明け選択装置を提供することができる。
【００２０】
また、前記プラグ板機構がモータ及びギヤ機構により回動するものでは、前記上部アダプタなどを一々外すことなく、スイッチ一つでピアス穴明けの有無を選択できる効果もある。
【図面の簡単な説明】
【図１】本発明ピアス穴明け選択装置の要部の縦断面図
【図２】図１のＡ−Ａ線矢視相当図
【図３】プラグ板機構の他の例を示す平面図
【図４】従来のピアス穴明け選択装置の一例を示す縦断面図。
【符号の説明】
５１  プレス機の上型    ５２  上型アダプタ    ５３  パンチ
５５  逃げ空間    ５６  抜き穴ブッシュ    ５７  フローティングボックス
５９  プラク板機構    ６１  逃げ穴    ６３  上ガイド板    ６５  弾性部材６７  下ガイド板    ６９  パンチガイド    ７１  ガイド穴    ７３  ダイ
７５  （共通の）ピアス穴
７８ａ、７８ｂ、７９ａ、７９ｂ  （独自の）ピアス穴    ８１  モータ
８２  ストッパ    ８３  ギヤ機構    Ｂ  素材。
【図１】
2004209496.tif 000003
【図２】
2004209496.tif 000004
【図３】
2004209496.tif 000005
【図４】
2004209496.tif 000006